(57)【特許請求の範囲】
【請求項１】
空気清浄機のフィルタエレメントタイプ情報を取得するステップと、
前記フィルタエレメントタイプ情報に対応するパラメータタイプを特定するステップと、
前記パラメータタイプに応じて、前記パラメータタイプに対応する、吸気領域の空気品質パラメータと排気領域の空気品質パラメータとをそれぞれ取得するステップと、
前記吸気領域の空気品質パラメータと前記排気領域の空気品質パラメータとに対応する浄化パラメータを特定するステップと、
前記浄化パラメータを出力するステップと、
を含むことを特徴とする空気清浄機パラメータ検出方法。
【請求項２】
前記空気清浄機の吸気領域と排気領域との空気品質パラメータをそれぞれ取得するステップは、
前記吸気領域に設けられた空気品質検出機器によって生成された第１空気品質パラメータを受信するステップと、
前記排気領域に設けられた空気品質検出機器によって生成された第２空気品質パラメータを受信するステップと、
を含むことを特徴とする請求項１に記載の空気清浄機パラメータ検出方法。
【請求項３】
前記空気清浄機の吸気領域と排気領域との空気品質パラメータをそれぞれ取得した後、
前記吸気領域の空気品質パラメータ及び前記排気領域の空気品質パラメータを前記空気清浄機の制御インターフェースに出力するステップ、
をさらに含むことを特徴とする請求項１に記載の空気清浄機パラメータ検出方法。
【請求項４】
前記浄化パラメータを出力するステップは、
前記浄化パラメータを前記空気清浄機の制御インターフェースに出力するステップ、
を含むことを特徴とする請求項３に記載の空気清浄機パラメータ検出方法。
【請求項５】
前記空気清浄機の吸気領域と排気領域との空気品質パラメータをそれぞれ取得するステップは、
ユーザログインアカウントによって所定のサーバにログインするステップと、
ログインされている所定のサーバから、前記空気清浄機に対応付けて記憶された吸気領域の空気品質パラメータ及び排気領域の空気品質パラメータをそれぞれ読み込むステップと、を含み、
前記吸気領域の空気品質パラメータ及び前記排気領域の空気品質パラメータのそれぞれは、所定の送信端末によって前記所定のサーバへリアルタイムに送信される
ことを特徴とする請求項１に記載の空気清浄機パラメータ検出方法。
【請求項６】
前記吸気領域の空気品質パラメータと前記排気領域の空気品質パラメータとに対応する浄化パラメータを特定した後、
前記浄化パラメータに基づいて、前記空気清浄機に対して、ファン回転数調整及び/又は運転モード調整を有する対応制御を行うステップ、
を更に含むことを特徴とする請求項１に記載の空気清浄機パラメータ検出方法。
【請求項７】
前記吸気領域の空気品質パラメータと前記排気領域の空気品質パラメータとに対応する浄化パラメータを特定するステップは、
前記吸気領域の空気品質パラメータと前記排気領域の空気品質パラメータとの差分を算出するステップと、
前記差分と前記吸気領域の空気品質パラメータとの比率を算出するステップと、
前記比率を前記浄化パラメータとしてパーセンテージに転換するステップと、
を含むことを特徴とする請求項１乃至６の何れか一項に記載の空気清浄機パラメータ検出方法。
【請求項８】
空気清浄機の吸気領域と排気領域との空気品質パラメータをそれぞれ取得するように構成される品質パラメータ取得モジュールと、
前記吸気領域の空気品質パラメータと前記排気領域の空気品質パラメータとに対応する浄化パラメータを特定するように構成される浄化パラメータ特定モジュールと、
前記浄化パラメータを出力するように構成される浄化パラメータ出力モジュールと、
を備え、
前記品質パラメータ取得モジュールは、
前記空気清浄機のフィルタエレメントタイプ情報を取得するように構成されるフィルタエレメント情報取得サブモジュールと、
前記フィルタエレメントタイプ情報に対応するパラメータタイプを特定するように構成されるパラメータタイプ特定サブモジュールと、
前記パラメータタイプに応じて、前記パラメータタイプに対応する、前記吸気領域の空気品質パラメータと前記排気領域の空気品質パラメータとをそれぞれ取得するように構成される品質パラメータ取得サブモジュールと、
を備えることを特徴とする空気清浄機パラメータ検出装置。
【請求項９】
前記品質パラメータ取得モジュールは、
前記吸気領域に設けられた空気品質検出機器によって生成された第１空気品質パラメータを受信するように構成される第１品質パラメータ受信モジュールと、
前記排気領域に設けられた空気品質検出機器によって生成された第２空気品質パラメータを受信するように構成される第２品質パラメータ受信モジュールと、
を備えることを特徴とする請求項８に記載の空気清浄機パラメータ検出装置。
【請求項１０】
前記吸気領域の空気品質パラメータ及び前記排気領域の空気品質パラメータを前記空気清浄機の制御インターフェースに出力するように構成される品質パラメータ出力モジュール、
をさらに備えることを特徴とする請求項８に記載の空気清浄機パラメータ検出装置。
【請求項１１】
前記浄化パラメータ出力モジュールは、
前記浄化パラメータを前記空気清浄機の制御インターフェースに出力するように構成される浄化パラメータ出力サブモジュール、
を備えることを特徴とする請求項１０に記載の空気清浄機パラメータ検出装置。
【請求項１２】
前記品質パラメータ取得モジュールは、
ユーザログインアカウントによって所定のサーバにログインするように構成されるサーバログインモジュールと、
ログインされている所定のサーバから、前記空気清浄機に対応付けて記憶された吸気領域の空気品質パラメータ及び排気領域の空気品質パラメータをそれぞれ読み込むように構成される品質パラメータ読取モジュールと、を備え、
前記吸気領域の空気品質パラメータ及び前記排気領域の空気品質パラメータのそれぞれは、所定の送信端末によって前記所定のサーバへリアルタイムに送信される
ことを特徴とする請求項８に記載の空気清浄機パラメータ検出装置。
【請求項１３】
前記浄化パラメータに基づいて、前記空気清浄機に対して、ファン回転数調整及び/又は運転モード調整を有する対応制御を行うように構成される浄化制御モジュールをさらに備える
ことを特徴とする請求項８に記載の空気清浄機パラメータ検出装置。
【請求項１４】
前記浄化パラメータ特定モジュールは、
前記吸気領域の空気品質パラメータと前記排気領域の空気品質パラメータとの差分を算出するように構成される差分取得サブモジュールと、
前記差分と前記吸気領域の空気品質パラメータとの比率を算出するように構成される比率取得サブモジュールと、
前記比率を前記浄化パラメータとしてパーセンテージに転換するように構成されるパーセンテージ取得サブモジュールと、
を備えることを特徴とする請求項８乃至１３の何れか一項に記載の空気清浄機パラメータ検出装置。
【請求項１５】
プロセッサと、プロセッサの実行可能な指令を記憶するメモリとを備え、
前記プロセッサは、
前記空気清浄機のフィルタエレメントタイプ情報を取得し、
前記フィルタエレメントタイプ情報に対応するパラメータタイプを特定し、
前記パラメータタイプに応じて、前記パラメータタイプに対応する、前記吸気領域の空気品質パラメータと前記排気領域の空気品質パラメータとをそれぞれ取得し、
前記吸気領域の空気品質パラメータと前記排気領域の空気品質パラメータとに対応する浄化パラメータを特定し、
前記浄化パラメータを出力するように構成される
ことを特徴とする端末。
【発明の詳細な説明】
【技術分野】
【０００１】
本発明は、スマート家電技術分野に関し、特に空気清浄機パラメータ検出方法、装置および端末に関する。
【背景技術】
【０００２】
工業化レベルの向上に伴い、環境汚染がますます深刻化しつつあり、人々は居住環境に強い関心を持っている。人々の居住環境への関心の高まりに伴い、室内の空気を浄化する機器として空気清浄機の適用は広くなっている。空気清浄機は、吸気ファンによって環境中の空気を吸い込み、フィルタエレメントで空気を浄化してから、排気ファンによって浄化された空気を排出する。ユーザは、異なるタイプの実際の需要、例えば除埃、消臭等に応えるように、空気清浄機中に異なるフィルタエレメントを挿入することができる。しかし、従来技術では、空気清浄機の浄化パラメータを測定することは困難である。
【発明の概要】
【発明が解決しようとする課題】
【０００３】
本発明は、空気清浄機の浄化パラメータを測定し難いという従来技術の問題を解決するために、空気清浄機パラメータ検出方法、装置および端末を提供する。
【課題を解決するための手段】
【０００４】
本発明の実施例の第１態様によれば、空気清浄機パラメータ検出方法を提供する。前記方法は、
空気清浄機の吸気領域と排気領域との空気品質パラメータをそれぞれ取得するステップと、
前記吸気領域の空気品質パラメータと前記排気領域の空気品質パラメータとに対応する浄化パラメータを特定するステップと、
前記浄化パラメータを出力するステップと、を含む。
【０００５】
好ましくは、前記空気清浄機の吸気領域と排気領域との空気品質パラメータをそれぞれ取得するステップは、
前記吸気領域に設けられた空気品質検出機器によって生成された第１空気品質パラメータを受信するステップと、
前記排気領域に設けられた空気品質検出機器によって生成された第２空気品質パラメータを受信するステップと、を含む。
【０００６】
好ましくは、前記空気清浄機の吸気領域と排気領域との空気品質パラメータをそれぞれ取得した後、
前記吸気領域の空気品質パラメータ及び前記排気領域の空気品質パラメータを前記空気清浄機の制御インターフェースに出力するステップ、をさらに含む。
【０００７】
好ましくは、前記浄化パラメータを出力するステップは、
前記浄化パラメータを前記空気清浄機の制御インターフェースに出力するステップ、を含む。
【０００８】
好ましくは、前記空気清浄機の吸気領域と排気領域との空気品質パラメータをそれぞれ取得するステップは、
ユーザログインアカウントによって所定のサーバにログインするステップと、
ログインされている所定のサーバから、前記空気清浄機に対応付けて記憶された吸気領域の空気品質パラメータ及び排気領域の空気品質パラメータをそれぞれ読み込むステップと、を含み、
前記吸気領域の空気品質パラメータ及び前記排気領域の空気品質パラメータのそれぞれは、所定のプッシュ端末によって前記所定のサーバへリアルタイムにプッシュされる。
【０００９】
好ましくは、前記空気清浄機の吸気領域と排気領域との空気品質パラメータをそれぞれ取得するステップは、
前記空気清浄機のフィルタエレメントタイプ情報を取得するステップと、
前記フィルタエレメントタイプ情報に対応するパラメータタイプを特定するステップと、
前記パラメータタイプに応じて、前記パラメータタイプに対応する、前記吸気領域の空気品質パラメータと前記排気領域の空気品質パラメータとをそれぞれ取得するステップと、を含む。
【００１０】
好ましくは、前記吸気領域の空気品質パラメータと前記排気領域の空気品質パラメータとに対応する浄化パラメータを特定した後、
前記浄化パラメータに基づいて、前記空気清浄機に対して、ファン回転数調整及び/又は運転モード調整を有する対応制御を行うステップを更に含む。
【００１１】
好ましくは、前記吸気領域の空気品質パラメータと前記排気領域の空気品質パラメータとに対応する浄化パラメータを特定するステップは、
前記吸気領域の空気品質パラメータと前記排気領域の空気品質パラメータとの差分を算出するステップと、
前記差分と前記吸気領域の空気品質パラメータとの比率を算出するステップと、
前記比率を前記浄化パラメータとしてパーセンテージに転換するステップと、を含む。
【００１２】
本発明の実施例の第２態様によれば、空気清浄機パラメータ検出装置を提供する。前記装置は、
空気清浄機の吸気領域と排気領域との空気品質パラメータをそれぞれ取得するように構成される品質パラメータ取得モジュールと、
前記吸気領域の空気品質パラメータと前記排気領域の空気品質パラメータとに対応する浄化パラメータを特定するように構成される浄化パラメータ特定モジュールと、
前記浄化パラメータを出力するように構成される浄化パラメータ出力モジュールと、を備える。
【００１３】
好ましくは、前記品質パラメータ取得モジュールは、
前記吸気領域に設けられた空気品質検出機器によって生成された第１空気品質パラメータを受信するように構成される第１品質パラメータ受信モジュールと、
前記排気領域に設けられた空気品質検出機器によって生成された第２空気品質パラメータを受信するように構成される第２品質パラメータ受信モジュールと、を備える。
【００１４】
好ましくは、前記装置は、
前記吸気領域の空気品質パラメータ及び前記排気領域の空気品質パラメータを前記空気清浄機の制御インターフェースに出力するように構成される品質パラメータ出力モジュールをさらに備える。
【００１５】
好ましくは、前記浄化パラメータ出力モジュールは、
前記浄化パラメータを前記空気清浄機の制御インターフェースに出力するように構成される浄化パラメータ出力サブモジュールを備える。
【００１６】
好ましくは、前記品質パラメータ取得モジュールは、
ユーザログインアカウントによって所定のサーバにログインするように構成されるサーバログインモジュールと、
ログインされている所定のサーバから、前記空気清浄機に対応付けて記憶された吸気領域の空気品質パラメータ及び排気領域の空気品質パラメータをそれぞれ読み込むように構成される品質パラメータ読取モジュールと、を備え、
前記吸気領域の空気品質パラメータ及び前記排気領域の空気品質パラメータのそれぞれは、所定のプッシュ端末によって前記所定のサーバへリアルタイムにプッシュされる。
【００１７】
好ましくは、前記品質パラメータ取得モジュールは、
前記空気清浄機のフィルタエレメントタイプ情報を取得するように構成されるフィルタエレメント情報取得サブモジュールと、
前記フィルタエレメントタイプ情報に対応するパラメータタイプを特定するように構成されるパラメータタイプ特定サブモジュールと、
前記パラメータタイプに応じて、前記パラメータタイプに対応する、前記吸気領域の空気品質パラメータと前記排気領域の空気品質パラメータとをそれぞれ取得するように構成される品質パラメータ取得サブモジュールと、を備える。
【００１８】
好ましくは、前記装置は、
前記浄化パラメータに基づいて、前記空気清浄機に対して、ファン回転数調整及び/又は運転モード調整を有する対応制御を行うように構成される浄化制御モジュールをさらに備える。
【００１９】
好ましくは、前記浄化パラメータ特定モジュールは、
前記吸気領域の空気品質パラメータと前記排気領域の空気品質パラメータとの差分を算出するように構成される差分取得サブモジュールと、
前記差分と前記吸気領域の空気品質パラメータとの比率を算出するように構成される比率取得サブモジュールと、
前記比率を前記浄化パラメータとしてパーセンテージに転換するように構成されるパーセンテージ取得サブモジュールと、を備える。
【００２０】
本発明の実施例の第３態様によれば、端末を提供する。当該端末は、プロセッサと、プロセッサの実行可能な指令を記憶するメモリとを備え、
前記プロセッサは、
空気清浄機の吸気領域と排気領域との空気品質パラメータをそれぞれ取得し、
前記吸気領域の空気品質パラメータと前記排気領域の空気品質パラメータとに対応する浄化パラメータを特定し、
前記浄化パラメータを出力するように構成される。
【発明の効果】
【００２１】
本発明の実施例に供される技術案は、以下の格別な作用効果を奏することができる。
【００２２】
本発明は、吸気領域及び排気領域の空気品質パラメータを取得して、さらに吸気領域の空気品質パラメータ及び排気領域の空気品質パラメータに対応する浄化パラメータを特定し出力することで、空気清浄機の浄化パラメータを速く正確に検出することができ、空気清浄機の浄化性能を速く正確に知ることができ、空気清浄機の更なる制御・改良への確実な根拠を提供することができる。
【００２３】
本発明は、空気品質検出機器によって生成された空気品質パラメータを受信することで、空気品質パラメータを速く正確に測定することができ、浄化パラメータの測量効率を向上させることができる。
【００２４】
本発明は、空気品質パラメータを前記空気清浄機の制御インターフェースに出力して表示させることで、ユーザへ空気清浄機の浄化性能を現すことに寄与し、ユーザエクスペリエンスを有効的に向上させることができる。
【００２５】
本発明は、浄化パラメータを前記空気清浄機の制御インターフェースに出力して表示させることで、ユーザへ空気清浄機の浄化性能を現すことに寄与し、ユーザエクスペリエンスを有効的に向上させることができる。
【００２６】
本発明は、ログインされている所定のサーバから、前記空気清浄機に対応付けて記憶された吸気領域の空気品質パラメータ及び排気領域の空気品質パラメータをそれぞれ読み込むことで、実行端末が空気品質パラメータをリアルタイムに取得する必要がなく、浄化パラメータを速く便利に検出し、浄化パラメータの検出効率を向上させることができる。
【００２７】
本発明は、前記空気清浄機のフィルタエレメントタイプ情報により対応するタイプの空気品質パラメータを速く正確に取得することができ、浄化パラメータ検出効率を向上させることができる。
【００２８】
本発明は、前記浄化パラメータに基づいて、前記空気清浄機に対して対応制御を行うことで、空気清浄機の制御効率及びインテリジェントパフォーマンスを向上させ、よりよい浄化効果を奏し、ユーザエクスペリエンスを高めることができる。
【００２９】
本発明は、吸気領域と排気領域との空気品質パラメータの差分を算出し、前記差分と前記吸気領域の空気品質パラメータとの比率を算出して、前記比率を前記浄化パラメータに転換することで、浄化パラメータの検出操作を簡素化し、浄化パラメータを速く正確に検出し、検出効率を向上させることができる。
【００３０】
以上の一般的な記述および後述する詳細な説明は、例示的や解釈的なものであり、本発明を制限するためのものでないことは、理解されるべきである。
【００３１】
ここでの図面は、明細書を構成する一部として見なされ、本発明に適した実施例を示し、かつ、明細書の文字記載とともに本発明の仕組みを解釈するために用いられる。
【図面の簡単な説明】
【００３２】
【図１】本発明の一実施例による空気清浄機パラメータ検出方法を示すフローチャートである。
【図２】本発明の一実施例による空気清浄機を示す構成模式図である。
【図３】本発明の一実施例による別の空気清浄機パラメータ検出方法を示すフローチャートである。
【図４】本発明の一実施例による別の空気清浄機パラメータ検出方法を示すフローチャートである。
【図５】本発明の一実施例による空気清浄機のパラメータ検出の適用シーンを示す模式図である。
【図６Ａ】本発明の一実施例による別の空気清浄機パラメータ検出方法を示すフローチャートである。
【図６Ｂ】本発明の一実施例によるスマートホームアプリを示す画面図である。
【図６Ｃ】本発明の一実施例による別のスマートホームアプリを示す画面図である。
【図７】本発明の一実施例による空気清浄機パラメータ検出装置を示すブロック図である。
【図８】本発明の一実施例による別の空気清浄機パラメータ検出装置を示すブロック図である。
【図９】本発明の一実施例による別の空気清浄機パラメータ検出装置を示すブロック図である。
【図１０】本発明の一実施例による別の空気清浄機パラメータ検出装置を示すブロック図である。
【図１１】本発明の一実施例による別の空気清浄機パラメータ検出装置を示すブロック図である。
【図１２】本発明の一実施例による別の空気清浄機パラメータ検出装置を示すブロック図である。
【図１３】本発明の一実施例による別の空気清浄機パラメータ検出装置を示すブロック図である。
【図１４】本発明の一実施例による別の空気清浄機パラメータ検出装置を示すブロック図である。
【図１５】本発明の一実施例による空気清浄機に適用するパラメータ検出装置を一構成模式図である。
【発明を実施するための形態】
【００３３】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００３４】
本発明に記載の用語は、特定の実施例を説明する目的で使用されるものに過ぎず、本発明を限定するものではない。本発明及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「および／または」は、挙げられる事項の1つ又は複数の何れ又は全ての組み合わせを意味する。
【００３５】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、文脈の意味によって、「……とき」または「……と」又は「…であるという判定に応じて」に解釈されてもよい。
【００３６】
図１は一実施例による空気清浄機パラメータ検出方法を示すフローチャートである。図１に示すように、当該方法は端末に適用可能であり、以下のステップ１０１〜１０３を含む。
【００３７】
ステップ１０１では、空気清浄機の吸気領域と排気領域との空気品質パラメータをそれぞれ取得する。
【００３８】
ステップ１０２では、前記吸気領域の空気品質パラメータと前記排気領域の空気品質パラメータとに対応する浄化パラメータを特定する。
【００３９】
ステップ１０３では、前記浄化パラメータを出力する。
【００４０】
本発明の実施例に係る端末としては、空気清浄機に無線に接続される（例えばバインディング関係が構築された）端末であってもよく、端末はスマートフォン、タブレットＰＣ、パーソナル・ディジタル・アシスタント等の類似機器を含んでもよい。端末ユーザは、ログインアカウントによって端末内の既定アプリ（例えばスマートホームアプリ）にログインしてから、空気清浄機のパラメータ検出プロセスを起動することができる。本発明の実施例に係る端末としては、空気清浄機自身、又は空気清浄機に関わる他の検出機器であってもよい。
【００４１】
本発明の実施例では、吸気領域及び排気領域の空気品質パラメータを取得して、吸気領域の空気品質パラメータ及び排気領域の空気品質パラメータに対応する浄化パラメータを特定し出力することで、空気清浄機の浄化パラメータを速く正確に検出することができ、空気清浄機の浄化性能を速く正確に知ることができ、空気進化器の更なる制御・改良への確実な根拠を提供することができる。
【００４２】
その中、ステップ１０１について、前記空気品質パラメータとしては、粒子濃度、有毒ガスの濃度及び細菌濃度のうちの少なくとも一つを含んでもよい。粒子としては、例えばＰＭ２.５、塵、埃、塵霧等の空気中の汚染物粒子である。
【００４３】
本発明の実施例の空気清浄機は、図２に示すように、空気清浄機として吸気ファン２１、フィルタエレメント２２及び排気ファン２３を含んでもよい。吸気ファン２１は、吸気口側の空気を空気清浄機内に吸い込み、フィルタエレメント２２によって吸い込まれた空気が浄化処理された後、排気ファン２３によって浄化された空気が排気口を介して吹き出される。
【００４４】
フィルタエレメント２２は単層又は多層のフィルタを含んでもよく、各層フィルタは、何れも一種又は多種の機能を実現することができる。実現する機能としては、除埃、ＨＥＰＡ（Ｈｉｇｈ ｅｆｆｉｃｉｅｎｃｙ ｐａｒｔｉｃｕｌａｔｅ ａｉｒ Ｆｉｌｔｅｒ、ヘパフィルタ）、消臭、ホルムアルデヒド除去等を含んでもよい。例えば図２におけるフィルタエレメント２２は、第１フィルタ２２１と第２フィルタ２２２を備え、第１フィルタ２２１を除埃機能対応、第２フィルタ２２２を消臭及びホルムアルデヒド除去機能対応と仮定してもよい。例示の一実施例として、図２における第１フィルタ２２１及び第２フィルタ２２２は、全体構造に設置されると、空気清浄機は、このような全体のフィルタエレメント２２として同時に使用されなければならなくて、除埃、消臭及びホルムアルデヒド除去機能を図る。別の例示の一実施例として、図２中における第１フィルタ２２１及び第２フィルタ２２２は別体構造に設置され、第１フィルタ２２１又は第２フィルタ２２２が単独使用されてもよく、第１フィルタ２２１及び第２フィルタ２２２が同時に使用されてもよく、ユーザによって実際需要に応じてフィルタエレメント２２の機能が設置されてもよく（例えば空気清浄機上の機能ボタンを押下、または空気清浄機に無線に接続される端末で設置する）、空気清浄機によって自動的にフィルタエレメント２２の機能が設置されてもよい。
【００４５】
前記吸気領域は、吸気ファン２１の対応する吸気口が位置する空間領域であってもよく、前記排気領域は、排気ファン２３の対応する排気口が位置する空間領域であってもよい。本発明の他の実施例では、前記吸気領域は、吸気口が位置する領域との距離を第１既定距離とする空間領域であってもよく、前記排気領域は、前記排気口が位置する領域との距離を第２既定距離とする空間領域であってもよい。
【００４６】
本発明の実施例では、空気清浄機の吸気領域と排気領域との空気品質パラメータをそれぞれ取得する方式としては、前記吸気領域に設けられた空気品質検出機器によって生成された第１空気品質パラメータを受信するステップと、前記排気領域に設けられた空気品質検出機器によって生成された第２空気品質パラメータを受信するステップとを含んでもよい。空気品質検出機器によって生成された空気品質パラメータを受信すると、空気品質パラメータを速く正確に測定することができ、浄化パラメータの測量効率を向上させることができる。
【００４７】
その中、空気品質検出機器としては、ダストモニタ、粒子計数器、有毒ガス濃度測量センサ及び濁度計のうちの少なくとも一つを含んでもよい。
【００４８】
ステップ１０２について、前記浄化パラメータは空気清浄機のフィルタエレメントの浄化効率であってもよい。前記吸気領域の空気品質パラメータ及び前記排気領域の空気品質パラメータと浄化パラメータとの間の対応関係又は変換モデルを予め構築してもよい。
【００４９】
その中、予め構築された対応関係又は変換モデルは、前記吸気領域の空気品質パラメータのそれぞれ及び前記排気領域の対応する単一の空気品質パラメータと浄化パラメータとの間の対応関係又は変換モデルであってもよく、前記吸気領域の複数の空気品質パラメータ及び前記排気領域の対応する複数の空気品質パラメータと浄化パラメータとの間の対応関係又は変換モデルであってもよい。
【００５０】
予め構築された対応関係又は変換モデルが、前記吸気領域の複数の空気品質パラメータ及び前記排気領域の対応する複数の空気品質パラメータと浄化パラメータとの間の対応関係又は変換モデルである場合には、それぞれの空気品質パラメータの前記対応関係又は変換モデルに占める割合を設置して、対応する浄化パラメータを取得することができる。
【００５１】
本発明の実施例では、前記吸気領域の空気品質パラメータと前記排気領域の空気品質パラメータとに対応する浄化パラメータを特定した後、前記浄化パラメータに基づいて前記空気清浄機に対して対応制御を行ってもよく、前記対応制御は、ファン回転数調整、運転モード調整、又はファン回転数調整及び運転モード調整を含む。前記浄化パラメータに基づいて前記空気清浄機に対して対応制御を制御すると、空気清浄機の制御効率及びインテリジェントパフォーマンスを向上させ、よりよい浄化効果を奏し、ユーザエクスペリエンスを高めることができる。
【００５２】
浄化パラメータと対応制御との間の対応関係を予め構築してもよく、ファン回転数調整時には、吸気ファン２１及び排気ファン２３の回転数をそれぞれ調整してもよく、運転モード調整時には、空気清浄機を自動モード、スリープモード又はパワフルモードに調整してもよく、例えば、浄化パラメータが既定の浄化閾値未満であると、空気清浄機をパワフルモードに調整して、浄化能力を向上させる。
【００５３】
ステップ１０３について、前記浄化パラメータを出力する方式は、前記浄化パラメータを前記空気清浄機の制御インターフェースに出力するステップを含んでもよく、ユーザへ空気清浄機の浄化性能を現すことに寄与し、ユーザエクスペリエンスを有効的に向上させることができる。音声等の従来技術によって前記浄化パラメータを出力してもよい。
【００５４】
図３は一実施例による別の空気清浄機パラメータ検出方法を示すフローチャートであり、図３に示すように、以下のステップ３０１〜３０５を含む。
【００５５】
ステップ３０１では、前記空気清浄機のフィルタエレメントタイプ情報を取得する。
【００５６】
ステップ３０２では、前記フィルタエレメントタイプ情報に対応するパラメータタイプを特定する。
【００５７】
ステップ３０３では、前記パラメータタイプに応じて、前記パラメータタイプに対応する、前記吸気領域の空気品質パラメータと前記排気領域の空気品質パラメータとをそれぞれ取得する。
【００５８】
ステップ３０４では、前記吸気領域の前記空気品質パラメータと前記排気領域の前記空気品質パラメータとに対応する浄化パラメータを特定する。図１に示すステップ１０２と類似し、ここで繰り返し説明しない。
【００５９】
ステップ３０５では、前記浄化パラメータを出力する。図１に示すステップ１０３と類似し、ここで繰り返し説明しない。
【００６０】
本発明の実施例は、前記空気清浄機のフィルタエレメントタイプ情報に基づいて、対応するタイプの空気品質パラメータを速く正確に取得して、浄化パラメータ検出効率を向上させることができる。
【００６１】
本実施例では、空気清浄機に用いられるフィルタエレメントは単一の機能を図るために用いられてもよく、多種機能の組合せを図るために用いられてもよい。その中、フィルタエレメントタイプ情報は、除埃タイプ、ＨＥＰＡ（Ｈｉｇｈ ｅｆｆｉｃｉｅｎｃｙ ｐａｒｔｉｃｕｌａｔｅ ａｉｒ Ｆｉｌｔｅｒ、ヘパフィルタ）タイプ、消臭タイプ及びホルムアルデヒド除去タイプのうちの少なくとも一つを含んでもよい。前記パラメータタイプは、空気品質パラメータのタイプであり、粒子タイプ、有毒気体タイプ及び細菌タイプのうちの少なくとも一つを含む。
【００６２】
例示の一実施形態としては、空気清浄機におけるフィルタエレメントは、多種機能を図る全体構造であってもよく、例えば、当該フィルタエレメントは除埃、消臭及びホルムアルデヒド除去機能に対応するが、除埃、消臭又はホルムアルデヒド除去機能を単独に選択できず、空気清浄機でフィルタエレメントタイプ情報をリアルタイムに取得でき、またはフィルタエレメントが初めて空気清浄機に装着された後に、フィルタエレメントタイプ情報をリアルタイムに取得する必要がなく、取得し記録することができる。これに対応する空気品質パラメータは粒子濃度、臭気濃度及びホルムアルデヒド濃度を同時に含む。
【００６３】
別の例示の一実施形態としては、空気清浄機におけるフィルタエレメントは、単一機能を図る別体構造であってもよく、例えば除埃、消臭及びホルムアルデヒド除去にそれぞれ対応するフィルタを含み、かつその中の単層のみ、多層又は全部フィルタを選択してもよく、空気清浄機は現在の使用状況に応じて、フィルタエレメントタイプ情報をリアルタイムに取得することができる。これに対応する空気品質パラメータは、粒子濃度、臭気濃度及びホルムアルデヒド濃度のうちの何れか一つ又は複数を含む。
【００６４】
本実施例では、フィルタエレメントタイプ情報が異なる場合には、それとともにフィルタエレメントの各態様特性も変わる。すると、前記吸気領域の前記空気品質パラメータと前記排気領域の前記空気品質パラメータとに対応する浄化パラメータを特定した後には、浄化パラメータに基づいて、ファンの回転数とフィルタエレメントタイプ情報とを合わせるように制御することで、空気清浄機の使用効果をユーザの実際使用需要に更に合致させて、よりよいユーザエクスペリエンスが得られることができる。
【００６５】
図４は、一実施例による別の空気清浄機パラメータ検出方法を示すフローチャートであり、図４に示すように、以下のステップ４０１〜４０５を含む。
【００６６】
ステップ４０１では、空気清浄機の吸気領域と排気領域との空気品質パラメータをそれぞれ取得する。図１に示すステップ１０１と類似し、ここで繰り返し説明しない。
【００６７】
ステップ４０２では、前記吸気領域の空気品質パラメータと前記排気領域の空気品質パラメータとの差分を算出する。
【００６８】
ステップ４０３では、前記差分と前記吸気領域の空気品質パラメータとの比率を算出する。
【００６９】
ステップ４０４では、前記比率を前記浄化パラメータとしてパーセンテージに転換する。
【００７０】
ステップ４０５では、前記浄化パラメータを出力する。図１に示すステップ１０３と類似し、ここで繰り返し説明しない。
【００７１】
本発明の実施例は、吸気領域と排気領域との空気品質パラメータの差分を算出して、前記差分と前記吸気領域の空気品質パラメータとの比率を算出して、前記比率を前記浄化パラメータに転換することで、浄化パラメータの検出操作を簡素化し、浄化パラメータを速く正確に検出し、検出効率を向上させることができる。
【００７２】
空気品質パラメータが粒子濃度、有毒ガス濃度及び細菌濃度のうちの少なくとも二つを含む場合には、空気品質パラメータ毎にそれぞれ応じて、前記吸気領域の各空気品質パラメータと前記排気領域の対応する空気品質パラメータとの差分を取得し、前記差分と前記吸気領域の空気品質パラメータとの比率を算出して、前記各空気品質パラメータに対応する浄化パラメータとして前記比率のパーセンテージを取得する。
【００７３】
本発明の他の実施例では、ステップ４０２乃至ステップ４０４を公式Ｖ=（１-ｎ１/ｎ２）に変換してもよい（その中、Ｖは浄化パラメータ、ｎ１は前記排気領域の空気品質パラメータ、ｎ２は前記吸気領域の空気品質パラメータを表す）。空気清浄機の吸気領域と排気領域との空気品質パラメータをそれぞれ取得した後、上記公式に代入すると、前記吸気領域の空気品質パラメータと前記排気領域の空気品質パラメータとに対応する浄化パラメータを特定できるようになる。
【００７４】
図５は、一実施例による空気清浄機のパラメータ検出の適用シーンを示す模式図である。図５に示す適用シーンにおいて、空気清浄機５１、吸気領域に設けられた空気品質検出機器５２、排気領域に設けられた空気品質検出機器５３及び浄化パラメータ特定機器であるスマートフォン５４を含む。空気清浄機５１、空気品質検出機器５２及び空気品質検出機器５３は、それぞれスマートフォン５４に無線に接続され、無線接続により互いの間で情報伝送及び双方向通信を行う。本実施例の浄化パラメータ特定機器について、スマートフォン５４のみを例として説明するが、実際応用中に浄化パラメータ特定機器としてはＰＣ（Ｐｅｒｓｏｎａｌ Ｃｏｍｐｕｔｅｒ、パーソナルコンピュータ）、タブレットＰＣ又はパーソナル・ディジタル・アシスタント等の他の類似なインテリジェント端末であってもよいことは、理解されるべきである。
【００７５】
図５に示す適用シーンにおいて、図５に示す空気品質検出機器５２及び空気品質検出機器５３は、吸気領域及び排気領域の空気品質パラメータをそれぞれ検出し、検出された空気品質パラメータをスマートフォン５４にそれぞれ伝送し、スマートフォン５４が受信された空気品質パラメータに対応する浄化パラメータを特定し出力することができる。
【００７６】
さらに、スマートフォン５４は、浄化パラメータに基づいて空気清浄機５１へ対応する制御指令を送信することで、空気清浄機に対する対応制御を実現することができる。
【００７７】
本発明の別の適用シーンにおいて、空気品質検出機器５２及び空気品質検出機器５３は、二つの無線に接続されるインテリジェント端末にそれぞれ内蔵されてもよく、二つのインテリジェント端末は、それぞれ空気清浄機の吸気領域及び排気領域に設置され、二つのインテリジェント端末によって交互に検出された空気品質パラメータは、そのうちの何れかのインテリジェント端末を浄化パラメータ特定機器としてもよい。
【００７８】
本発明の他の適用シーンにおいて、空気清浄機５１、空気清浄機５１に内蔵され又は独立に設置された空気品質検出機器５２及び空気品質検出機器５３のみを含んでもよい。空気品質検出機器５２及び空気品質検出機器５３は、検出された空気品質パラメータを空気清浄機５１に伝送することができる。空気清浄機５１は、受信された空気品質パラメータに対応する浄化パラメータを特定し出力する。
【００７９】
上記適用シーンに対応して、図６Ａは、一実施例による別の空気清浄機パラメータ検出方法を示すフローチャートであり、以下ステップ６０１〜６０４を含んでもよい。
【００８０】
ステップ６０１では、空気清浄機の吸気領域と排気領域との空気品質パラメータをそれぞれ取得する。
【００８１】
ステップ６０２では、前記吸気領域の空気品質パラメータ及び前記排気領域の空気品質パラメータを前記空気清浄機の制御インターフェースに出力する。
【００８２】
ステップ６０３では、前記吸気領域の空気品質パラメータと前記排気領域の空気品質パラメータとに対応する浄化パラメータを特定する。
【００８３】
ステップ６０４では、前記浄化パラメータを前記空気清浄機の制御インターフェースに出力する。
【００８４】
本発明の実施例は、浄化パラメータ及び空気品質パラメータを前記空気清浄機の制御インターフェースに出力することで、ユーザへ空気清浄機の浄化性能を現すことに寄与し、ユーザエクスペリエンスを有効的に向上させることができる。
【００８５】
例示の一実施形態として、前記空気清浄機の制御インターフェースは、スマートホームアプリにおける前記空気清浄機の制御インターフェースであってもよい。スマートホームアプリは、図５に示すスマートフォン５４にインストールされており、空気清浄機とスマートフォン５４の現在ユーザＩＤとの間はバインディング状態となり、スマートフォン５４のインテリジェント機器リストにあり、スマートフォン５４のインテリジェント機器リストは図６Ｂに示すように、マイインテリジェント機器リストにおいて小蟻スマートカメラ、シャオミスマートコンセント、シャオミ空気清浄機のみを例として説明するが、実際応用中に他のインテリジェント機器を含んでもよい。
【００８６】
浄化パラメータ及び空気品質パラメータをスマートホームアプリにおける前記空気清浄機の制御インターフェースに表示させると、図６Ｂに示すシャオミ空気清浄機に対するトリガを検出した後に、図６Ｃに示す空気清浄機の制御インターフェースが表示され、図６Ｃに示す空気清浄機において吸気領域の粒子濃度１００ｍｇ/ｍ3、排気領域の粒子濃度１０ｍｇ/ｍ3、浄化パラメータ９０%の場合のみを例として説明する。図６Ｃに示す制御インターフェースの最下層のボタンアイコンは、空気清浄機の制御ボタンであり、左から右へそれぞれ停止/起動ボタン、自動モードボタン、スリープモードボタン及びパワフルモードボタンである。上記制御ボタンに対するトリガ操作を検出したあと、空気清浄機へ対応する制御指令を送信することができる。実際適用中に浄化パラメータ、空気品質パラメータのインターフェースのレイアウト、具体的なパラメータタイプを変更することができる。
【００８７】
本発明の他の実施例では、本発明の空気清浄機パラメータ検出方法は図５に示すスマートフォン５４以外の他のインテリジェント端末に用いられ、他のインテリジェント端末に空気品質検出機器５２及び空気品質検出機器５３が内蔵されず、又は空気品質検出機器５２及び空気品質検出機器５３に無線に接続されない場合には、空気清浄機の吸気領域と排気領域との空気品質パラメータをそれぞれ取得する方式は、ユーザログインアカウントによって所定のサーバにログインするステップと、ログインされている所定のサーバから、前記空気清浄機に対応付けて記憶された吸気領域の空気品質パラメータ及び排気領域の空気品質パラメータをそれぞれ読み込むステップとを含んでもよく、前記吸気領域の空気品質パラメータ及び前記排気領域の空気品質パラメータのそれぞれは、所定のプッシュ端末によって前記所定のサーバへリアルタイムにプッシュされ、前記所定のプッシュ端末は、空気品質検出機器５２及び空気品質検出機器５３、又はスマートフォン５４であってもよい。ログインされている所定のサーバから、前記空気清浄機に対応付けて記憶された吸気領域の空気品質パラメータ及び排気領域の空気品質パラメータをそれぞれ読み込むことで、実行端末は、空気品質パラメータをリアルタイムに取得する必要がなく、浄化パラメータを速く便利に検出し、浄化パラメータの検出効率を向上させることができる。
【００８８】
前述した空気清浄機パラメータ検出方法の実施例に対応し、本発明は、空気清浄機パラメータ検出装置および対応する端末の実施例をさらに提供する。
【００８９】
図７は、一実施例による空気清浄機パラメータ検出装置を示すブロック図であり、図７に示すように、当該装置は、品質パラメータ取得モジュール７２、浄化パラメータ特定モジュール７４及び浄化パラメータ出力モジュール７６を備える。
【００９０】
その中、品質パラメータ取得モジュール７２は、空気清浄機の吸気領域と排気領域との空気品質パラメータをそれぞれ取得するように構成される。
【００９１】
浄化パラメータ特定モジュール７４は、前記吸気領域の空気品質パラメータと前記排気領域の空気品質パラメータとに対応する浄化パラメータを特定するように構成される。
【００９２】
浄化パラメータ出力モジュール７６は、前記浄化パラメータを出力するように構成される。
【００９３】
本発明の実施例では、吸気領域及び排気領域の空気品質パラメータを取得して、吸気領域の空気品質パラメータ及び排気領域の空気品質パラメータに対応する浄化パラメータを特定し出力することで、空気清浄機の浄化パラメータを速く正確に検出することができ、空気清浄機の浄化性能を速く正確に知ることができ、空気清浄機の更なる制御・改良への確実な根拠を提供することができる。
【００９４】
図８は、一実施例による別の空気清浄機パラメータ検出装置を示すブロック図である。図８に示すように、当該実施例は前述した図７に示す実施例に加えて、品質パラメータ取得モジュール７２が第１品質パラメータ受信モジュール７２１及び第２品質パラメータ受信モジュール７２２を備えてもよい。
【００９５】
その中、第１品質パラメータ受信モジュール７２１は、前記吸気領域に設けられた空気品質検出機器によって生成された第１空気品質パラメータを受信するように構成される。
【００９６】
第２品質パラメータ受信モジュール７２２は、前記排気領域に設けられた空気品質検出機器によって生成された第２空気品質パラメータを受信するように構成される。
【００９７】
本発明の実施例では、空気品質検出機器によって生成された空気品質パラメータを受信することで、空気品質パラメータを速く正確に測定することができ、浄化パラメータの測量効率を向上させることができる。
【００９８】
図９は、一実施例による別の空気清浄機パラメータ検出装置を示すブロック図である。図９に示すように、当該実施例は、前述した図７に示す実施例に加えて、前記装置が品質パラメータ出力モジュール７３を更に備えてもよい。
【００９９】
品質パラメータ出力モジュール７３は、前記吸気領域の空気品質パラメータ及び前記排気領域の空気品質パラメータを前記空気清浄機の制御インターフェースに出力するように構成される。
【０１００】
本発明の実施例では、空気品質パラメータを前記空気清浄機の制御インターフェースに出力して表示させることで、ユーザへ空気清浄機の浄化性能を現すことに寄与し、ユーザエクスペリエンスを有効的に向上させることができる。
【０１０１】
図１０は、一実施例による別の空気清浄機パラメータ検出装置を示すブロック図である。図１０に示すように、当該実施例は前述した図９に示す実施例に加えて、浄化パラメータ出力モジュール７６が浄化パラメータ出力サブモジュール７６１を更に備えてもよい。
【０１０２】
浄化パラメータ出力サブモジュール７６１は、前記浄化パラメータを前記空気清浄機の制御インターフェースに出力するように構成される。
【０１０３】
本発明の実施例では、浄化パラメータ及び空気品質パラメータを前記空気清浄機の制御インターフェースに出力して表示させることで、ユーザへ空気清浄機の浄化性能を現すことに寄与し、ユーザエクスペリエンスを有効的に向上させることができる。
【０１０４】
図１１は、一実施例による別の空気清浄機パラメータ検出装置を示すブロック図である。図１１に示すように、当該実施例は前述した図７に示す実施例に加えて、品質パラメータ取得モジュール７２がサーバログインモジュール７２３及び品質パラメータ読取モジュール７２４を備えてもよい。
【０１０５】
その中、サーバログインモジュール７２３は、ユーザログインアカウントによって所定のサーバにログインするように構成される。
【０１０６】
品質パラメータ読取モジュール７２４は、ログインされている所定のサーバから、前記空気清浄機に対応付けて記憶された吸気領域の空気品質パラメータ及び排気領域の空気品質パラメータをそれぞれ読み込むように配置され、前記吸気領域の空気品質パラメータ及び前記排気領域の空気品質パラメータのそれぞれは、所定のプッシュ端末によって前記所定のサーバへリアルタイムにプッシュされる。
【０１０７】
本発明の実施例では、ログインされている所定のサーバから、前記空気清浄機に対応付けて記憶された吸気領域の空気品質パラメータ及び排気領域の空気品質パラメータをそれぞれ読み込むことで、実行端末は空気品質パラメータをリアルタイムに取得する必要がなく、浄化パラメータを速く便利に検出し、浄化パラメータの検出効率を向上させることができる。
【０１０８】
図１２は、一実施例による別の空気清浄機パラメータ検出装置を示すブロック図である。図１２に示すように、当該実施例は、前述した図７に示す実施例に加えて、品質パラメータ取得モジュール７２がフィルタエレメント情報取得サブモジュール７２５、パラメータタイプ特定サブモジュール７２６及び品質パラメータ取得サブモジュール７２７を備えてもよい。
【０１０９】
その中、フィルタエレメント情報取得サブモジュール７２５は、前記空気清浄機のフィルタエレメントタイプ情報を取得するように構成される。
【０１１０】
パラメータタイプ特定サブモジュール７２６は、前記フィルタエレメントタイプ情報に対応するパラメータタイプを特定するように構成される。
【０１１１】
品質パラメータ取得サブモジュール７２７は、前記パラメータタイプに応じて、前記パラメータタイプに対応する、前記吸気領域の空気品質パラメータと前記排気領域の空気品質パラメータとをそれぞれ取得するように構成される。
【０１１２】
本発明の実施例では、前記空気清浄機のフィルタエレメントタイプ情報に基づいて、対応するタイプの空気品質パラメータを速く正確に取得することができ、浄化パラメータ検出効率を向上させることができる。
【０１１３】
図１３は、一実施例による別の空気清浄機パラメータ検出装置を示すブロック図である。図１３に示すように、当該実施例は、前述した図７に示す実施例に加えて、前記装置が浄化制御モジュール７８を更に備えてもよい。
【０１１４】
浄化制御モジュール７８は、前記浄化パラメータに基づいて前記空気清浄機に対して対応制御を行うように配置され、前記対応制御は、ファン回転数調整及び/又は運転モード調整を含む。
【０１１５】
本発明の実施例では、前記浄化パラメータに基づいて前記空気清浄機に対して対応制御を行うことで、空気清浄機の制御効率及びインテリジェントパフォーマンスを向上させ、よりよい浄化効果を奏し、ユーザエクスペリエンスを向上させることができる。
【０１１６】
図１４は、一実施例による別の空気清浄機パラメータ検出装置を示すブロック図である。図１４に示すように、当該実施例は、前述した図７に示す実施例に加えて、浄化パラメータ特定モジュール７４が差分取得サブモジュール７４１、比率取得サブモジュール７４２及びパーセンテージ取得サブモジュール７４３を備えてもよい。
【０１１７】
その中、差分取得サブモジュール７４１は、前記吸気領域の空気品質パラメータと前記排気領域の空気品質パラメータとの差分を算出するように構成される。
【０１１８】
比率取得サブモジュール７４２は、前記差分と前記吸気領域の空気品質パラメータとの比率を算出するように構成される。
【０１１９】
パーセンテージ取得サブモジュール７４３は、前記比率を前記浄化パラメータとしてパーセンテージに転換するように構成される。
【０１２０】
本発明の実施例では、吸気領域と排気領域の空気品質パラメータとの差分を算出し、前記差分と前記吸気領域の空気品質パラメータとの比率を算出して、前記比率を前記浄化パラメータに転換し、浄化パラメータの検出操作を簡素化、浄化パラメータを速く正確に検出し、検出効率を向上させることができる。
【０１２１】
上記装置において各モジュールの機能及び作用の実現過程について、詳しくは上記空気清浄機パラメータ検出方法における対応するステップの実現過程を参照する。ここで繰り返し説明しない。
【０１２２】
装置実施例にとって、それが方法実施例にほぼ対応するので、関連内容について方法実施例の部分説明を参照すればよい。上記記載の装置実施例は、単に例示のもので、その中、前記分離部品として説明されたモジュールとしては、物理的に分離したものでもよく、または分離したものでなくてもよく、モジュールとして表示された部品としては、物理モジュールでもよく、または物理モジュールでなくてもよく、つまり一つの箇所に位置してもよいし、または複数のネットワーク領域に分散してもよい。実際の需要に応じてその中の一部または全部のモジュールを選択して本発明方案の目的を実現することができる。当業者は、創造的な作業の必要がない場合にも、理解して実施することができる。
【０１２３】
対応する形で、本発明は、プロセッサと、プロセッサの実行可能な指令を記憶するためのメモリとを備える端末をさらに提供し、前記プロセッサは、空気清浄機の吸気領域と排気領域との空気品質パラメータをそれぞれ取得し、前記吸気領域の空気品質パラメータと前記排気領域の空気品質パラメータとに対応する浄化パラメータを特定し、前記浄化パラメータを出力するように構成される。
【０１２４】
図１５は、一実施例による空気清浄機に適用するパラメータ検出装置１５００を構成模式図である。例えば、装置１５００としては、モバイルフォン、コンピュータ、デジタル放送端末、メッセージ受送信機器、ゲーム制御台、タブレット、医療機器、フィットネス機器、パーソナル・ディジタル・アシスタント等であってもよい。
【０１２５】
図１５を参照すると、装置１５００は、処理ユニット１５０２、メモリ１５０４、電源ユニット１５０６、マルチメディアユニット１５０８、オーディオユニット１５１０、入力／出力（Ｉ／Ｏ）インターフェース１５１２、センサユニット１５１４、および、通信ユニット１５１６のうちの１つまたは複数を含んでもよい。
【０１２６】
処理ユニット１５０２は、通常は、表示、電話発呼、データ通信、カメラ操作および記録操作に関連する操作のような、装置１５００の全般操作を制御する。処理ユニット１５０２は、上記方法の全部または一部のステップを実施させるように、指令を実行するための１つまたは複数のプロセッサ１５２０を含んでもよい。また、処理ユニット１５０２は、処理ユニット１５０２と他のユニットとの間の相互作用を容易にするように、１つ又は複数のモジュールを含んでもよい。例えば、処理ユニット１５０２は、マルチメディアユニット１５０９と処理ユニット１５０２との間の相互作用を容易にするように、マルチメディアモジュールを含んでもよい。
【０１２７】
メモリ１５０４は、各タイプのデータを記憶して装置１５００での操作をサポートするように構成される。これらのデータの例示は、装置１５００で操作するための任意のアプリケーションもしくは方法の指令、連絡先データ、電話帳データ、メッセージ、ピクチャ、ビデオなどを含む。メモリ１５０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１２８】
電源ユニット１５０６は、装置１５００のユニットのそれぞれに電力を供給する。電源ユニット１５０６は、電源管理システム、１つまたは複数の電源、並びに、他の装置１５００用の電力を生成、管理および配分するに関する他のユニットを含んでもよい。
【０１２９】
マルチメディアユニット１５０８は、前記装置１５００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、ディスプレイスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット１５０８は、１つのフロントカメラおよび/またはバックカメラを含む。装置１５００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３０】
オーディオユニット１５１０は、オーディオ信号を出力および/または入力するように構成される。例えば、オーディオユニット１５１０は、マイク（ＭＩＣ）を備え、装置１５００が操作モード、例えば、発呼モード、記録モードおよび音声識別モードであるとき、マイクは、外部オーディオ信号を受信するように構成される。受信されたオーディオ信号は、さらに、メモリ１５０４に格納される、または、通信ユニット１５１６を介して送信されることができる。一部の実施例では、オーディオユニット１５１０は、オーディオ信号を出力するためのスピーカーをさらに含む。
【０１３１】
Ｉ/Ｏインターフェース１５１２は、処理ユニット１５０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３２】
センサユニット１５１４は、様々な側面での状態評価を装置１５００に供給するための１つまたは複数のセンサを含む。例えば、センサユニット１５１４は、装置１５００のオン/オフ状態、ユニットの相対位置を検出することができ、前記ユニットは、例えば、装置１５００のディスプレイおよびキーパッドである。センサユニット１５１４は、さらに、装置１５００もしくは装置１５００の１つのユニットの位置変更、ユーザと装置１５００との接触の存在もしくは不存在、装置１５００の方位もしくは加速/減速および装置１５００の温度変化をさらに検出することができる。センサユニット１５１４は、如何なる物理的接触もないとき、近辺にある物体の存在を検出するための近接センサを含んでもよい。センサユニット１５１４は、さらに、イメージングアプリケーションに使用される光センサ、例えばＣＭＯＳまたはＣＣＤ画像センサを含んでもよい。一部の実施例では、当該センサユニット１５１４は、さらに、加速度センサ、ジャイロセンサ、磁気センサ、圧力センサ、または温度センサを含んでもよい。
【０１３３】
通信ユニット１５１６は、装置１５００と他の機器間の無線または有線方式の通信ができるように構成される。装置１５００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１５１６は、外部ブロードキャスト管理システムからのブロードキャスト信号またはブロードキャスト関連情報をブロードキャストチャネルを介して受信する。ある実施例では、通信ユニット１５１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１３４】
実施例では、装置１５００は、上記空気清浄機パラメータ検出方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１３５】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１３６】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１３７】
本願は、出願番号が２０１５１０８３４１２９.７であり、出願日が２０１５年１１月２５日である中国特許出願に基づいて優先権を主張する。当該中国特許出願の全ての内容は、ここに参考として引用される。
一側面において本発明は以下の発明を包含する。
（発明１）
空気清浄機の吸気領域と排気領域との空気品質パラメータをそれぞれ取得するステップと、
前記吸気領域の空気品質パラメータと前記排気領域の空気品質パラメータとに対応する浄化パラメータを特定するステップと、
前記浄化パラメータを出力するステップと、
を含むことを特徴とする空気清浄機パラメータ検出方法。
（発明２）
前記空気清浄機の吸気領域と排気領域との空気品質パラメータをそれぞれ取得するステップは、
前記吸気領域に設けられた空気品質検出機器によって生成された第１空気品質パラメータを受信するステップと、
前記排気領域に設けられた空気品質検出機器によって生成された第２空気品質パラメータを受信するステップと、
を含むことを特徴とする発明１に記載の空気清浄機パラメータ検出方法。
（発明３）
前記空気清浄機の吸気領域と排気領域との空気品質パラメータをそれぞれ取得した後、
前記吸気領域の空気品質パラメータ及び前記排気領域の空気品質パラメータを前記空気清浄機の制御インターフェースに出力するステップ、
をさらに含むことを特徴とする発明１に記載の空気清浄機パラメータ検出方法。
（発明４）
前記浄化パラメータを出力するステップは、
前記浄化パラメータを前記空気清浄機の制御インターフェースに出力するステップ、
を含むことを特徴とする発明３に記載の空気清浄機パラメータ検出方法。
（発明５）
前記空気清浄機の吸気領域と排気領域との空気品質パラメータをそれぞれ取得するステップは、
ユーザログインアカウントによって所定のサーバにログインするステップと、
ログインされている所定のサーバから、前記空気清浄機に対応付けて記憶された吸気領域の空気品質パラメータ及び排気領域の空気品質パラメータをそれぞれ読み込むステップと、を含み、
前記吸気領域の空気品質パラメータ及び前記排気領域の空気品質パラメータのそれぞれは、所定の送信端末によって前記所定のサーバへリアルタイムに送信される
ことを特徴とする発明１に記載の空気清浄機パラメータ検出方法。
（発明６）
前記空気清浄機の吸気領域と排気領域との空気品質パラメータをそれぞれ取得するステップは、
前記空気清浄機のフィルタエレメントタイプ情報を取得するステップと、
前記フィルタエレメントタイプ情報に対応するパラメータタイプを特定するステップと、
前記パラメータタイプに応じて、前記パラメータタイプに対応する、前記吸気領域の空気品質パラメータと前記排気領域の空気品質パラメータとをそれぞれ取得するステップと、
を含むことを特徴とする発明１に記載の空気清浄機パラメータ検出方法。
（発明７）
前記吸気領域の空気品質パラメータと前記排気領域の空気品質パラメータとに対応する浄化パラメータを特定した後、
前記浄化パラメータに基づいて、前記空気清浄機に対して、ファン回転数調整及び/又は運転モード調整を有する対応制御を行うステップ、
を更に含むことを特徴とする発明１に記載の空気清浄機パラメータ検出方法。
（発明８）
前記吸気領域の空気品質パラメータと前記排気領域の空気品質パラメータとに対応する浄化パラメータを特定するステップは、
前記吸気領域の空気品質パラメータと前記排気領域の空気品質パラメータとの差分を算出するステップと、
前記差分と前記吸気領域の空気品質パラメータとの比率を算出するステップと、
前記比率を前記浄化パラメータとしてパーセンテージに転換するステップと、
を含むことを特徴とする発明１乃至７の何れか一項に記載の空気清浄機パラメータ検出方法。
（発明９）
空気清浄機の吸気領域と排気領域との空気品質パラメータをそれぞれ取得するように構成される品質パラメータ取得モジュールと、
前記吸気領域の空気品質パラメータと前記排気領域の空気品質パラメータとに対応する浄化パラメータを特定するように構成される浄化パラメータ特定モジュールと、
前記浄化パラメータを出力するように構成される浄化パラメータ出力モジュールと、
を備えることを特徴とする空気清浄機パラメータ検出装置。
（発明１０）
前記品質パラメータ取得モジュールは、
前記吸気領域に設けられた空気品質検出機器によって生成された第１空気品質パラメータを受信するように構成される第１品質パラメータ受信モジュールと、
前記排気領域に設けられた空気品質検出機器によって生成された第２空気品質パラメータを受信するように構成される第２品質パラメータ受信モジュールと、
を備えることを特徴とする発明９に記載の空気清浄機パラメータ検出装置。
（発明１１）
前記吸気領域の空気品質パラメータ及び前記排気領域の空気品質パラメータを前記空気清浄機の制御インターフェースに出力するように構成される品質パラメータ出力モジュール、
をさらに備えることを特徴とする発明９に記載の空気清浄機パラメータ検出装置。
（発明１２）
前記浄化パラメータ出力モジュールは、
前記浄化パラメータを前記空気清浄機の制御インターフェースに出力するように構成される浄化パラメータ出力サブモジュール、
を備えることを特徴とする発明１１に記載の空気清浄機パラメータ検出装置。
（発明１３）
前記品質パラメータ取得モジュールは、
ユーザログインアカウントによって所定のサーバにログインするように構成されるサーバログインモジュールと、
ログインされている所定のサーバから、前記空気清浄機に対応付けて記憶された吸気領域の空気品質パラメータ及び排気領域の空気品質パラメータをそれぞれ読み込むように構成される品質パラメータ読取モジュールと、を備え、
前記吸気領域の空気品質パラメータ及び前記排気領域の空気品質パラメータのそれぞれは、所定の送信端末によって前記所定のサーバへリアルタイムに送信される
ことを特徴とする発明９に記載の空気清浄機パラメータ検出装置。
（発明１４）
前記品質パラメータ取得モジュールは、
前記空気清浄機のフィルタエレメントタイプ情報を取得するように構成されるフィルタエレメント情報取得サブモジュールと、
前記フィルタエレメントタイプ情報に対応するパラメータタイプを特定するように構成されるパラメータタイプ特定サブモジュールと、
前記パラメータタイプに応じて、前記パラメータタイプに対応する、前記吸気領域の空気品質パラメータと前記排気領域の空気品質パラメータとをそれぞれ取得するように構成される品質パラメータ取得サブモジュールと、
を備えることを特徴とする発明９に記載の空気清浄機パラメータ検出装置。
（発明１５）
前記浄化パラメータに基づいて、前記空気清浄機に対して、ファン回転数調整及び/又は運転モード調整を有する対応制御を行うように構成される浄化制御モジュールをさらに備える
ことを特徴とする発明９に記載の空気清浄機パラメータ検出装置。
（発明１６）
前記浄化パラメータ特定モジュールは、
前記吸気領域の空気品質パラメータと前記排気領域の空気品質パラメータとの差分を算出するように構成される差分取得サブモジュールと、
前記差分と前記吸気領域の空気品質パラメータとの比率を算出するように構成される比率取得サブモジュールと、
前記比率を前記浄化パラメータとしてパーセンテージに転換するように構成されるパーセンテージ取得サブモジュールと、
を備えることを特徴とする発明９乃至１５の何れか一項に記載の空気清浄機パラメータ検出装置。
（発明１７）
プロセッサと、プロセッサの実行可能な指令を記憶するメモリとを備え、
前記プロセッサは、
空気清浄機の吸気領域と排気領域との空気品質パラメータをそれぞれ取得し、
前記吸気領域の空気品質パラメータと前記排気領域の空気品質パラメータとに対応する浄化パラメータを特定し、
前記浄化パラメータを出力するように構成される
ことを特徴とする端末。
【図１】
0006386584.tif 000002
【図２】
0006386584.tif 000003
【図３】
0006386584.tif 000004
【図４】
0006386584.tif 000005
【図５】
0006386584.tif 000006
【図６Ａ】
0006386584.tif 000007
【図６Ｂ】
0006386584.tif 000008
【図６Ｃ】
0006386584.tif 000009
【図７】
0006386584.tif 000010
【図８】
0006386584.tif 000011
【図９】
0006386584.tif 000012
【図１０】
0006386584.tif 000013
【図１１】
0006386584.tif 000014
【図１２】
0006386584.tif 000015
【図１３】
0006386584.tif 000016
【図１４】
0006386584.tif 000017
【図１５】
0006386584.tif 000018